(57)【要約】【課題】電気設備及び電気通信設備における鋼材を主とするトラス構造等の鉄塔上で、墜落防止網を短時間で取り付けることができる墜落防止網の取付方法を提供することを目的としたものである。【解決手段】最初に墜落防止網４の２頂点の接続紐６３，６４を取り付けることができる垂直ロープ１を鉄塔１００の上部まで引き上げ、その後に墜落防止網４の他の２頂点の接続紐６１，６２を鉄塔１００の鉄塔構造物Ｄに取り付け、その後に操作竿で垂直ロープ１を垂直ラダーＡ側（矢印ｃ側）に引き寄せ、その後に接続紐６３，６４を垂直ロープ１に取り付けられている昇降調整金具２のフック金具５に取り付ける。これにより、作業者は梁や筋交い及び柱等の間をくぐって歩き垂直ラダーの反対側部分まで横移動する必要がないため、墜落防止網の取付を短時間で行うことができるという効果を奏する。【選択図】      図３
2004194867.tif 000002
【特許請求の範囲】
【請求項１】
鉄塔の上部から地上の基礎部に梯子又は昇降用階段に沿ってケーブルの布設等を行う前に作業者の墜落又は材料若しくは工具の落下を防止する墜落防止網を取り付ける墜落防止網の取付方法において、
前記鉄塔の上部から通線ロープを前記基礎部へ２本懸垂するステップと、
事前にフック金具を昇降調整金具によって取り付けてある２本の垂直ロープの上端に前記通線ロープを取り付けて、前記通線ロープを引き上げることにより前記２本の垂直ロープを基礎部から上部へ引き上げるステップと、
前記墜落防止網を前記鉄塔の取付場所付近まで引き上げ、当該引き上げた墜落防止網の２頂点の接続紐を前記鉄塔の梯子側の鉄塔構造物に取り付けるステップと、
前記２本の垂直ロープを操作竿で前記梯子側に引き寄せて、まだ取り付けを行っていない２頂点の接続紐をそれぞれ前記引き寄せた垂直ロープの各フック金具に接続するステップと、
前記２本の垂直ロープの最下端の近傍で引線固定を行う引線器を使用して、前記２本の垂直ロープを引っ張って固定するステップと、
を実行することを特徴とする墜落防止網の取付方法。
【請求項２】
鉄塔の上部から地上の基礎部に梯子又は昇降用階段に沿ってケーブルの布設等を行う前に作業者の墜落又は材料若しくは工具の落下を防止する墜落防止網を取り付ける墜落防止網の取付方法において、
前記鉄塔の上部から通線ロープを前記基礎部へ２本懸垂するステップと、
事前に留金具をかしめ加工した２本の垂直ロープの上端に前記通線ロープを取り付けて、前記通線ロープを引き上げることにより前記２本の垂直ロープを基礎部から上部へ引き上げるステップと、
前記墜落防止網を前記鉄塔の取付場所付近まで引き上げ、当該引き上げた墜落防止網の２頂点の接続紐を前記鉄塔の梯子側の鉄塔構造物に取り付けるステップと、
前記２本の垂直ロープを操作竿で前記梯子側に引き寄せて、まだ取り付けを行っていない２頂点の接続紐をそれぞれ前記引き寄せた垂直ロープの各留金具の上部側に接続するステップと、
前記２本の垂直ロープの最下端の近傍で引線固定を行う引線器を使用して、前記２本の垂直ロープを引っ張って固定するステップと、
を実行することを特徴とする墜落防止網の取付方法。
【請求項３】
前記垂直ロープは、高所作業での墜落防止に使用される親ロープであることを特徴とする請求項１又は２に記載の墜落防止網の取付方法。
【請求項４】
前記操作竿は、多段式に伸縮可能であることを特徴とする請求項１又は２に記載の墜落防止網の取付方法。
【請求項５】
前記操作竿は、先端に前記垂直ロープを引っ掛ける鈎型形状の先端金具が設けられていることを特徴とする請求項４に記載の墜落防止網の取付方法。
【請求項６】
前記昇降調整金具は、前記垂直ロープ上の任意の間隔で自由に取付位置を移動可能に取り付けることが可能であることを特徴とする請求項１に記載の墜落防止網の取付方法。
【請求項７】
前記留金具は、金属環からなり前記垂直ロープにかしめ加工されていることを特徴とする請求項２に記載の墜落防止網の取付方法。
【発明の詳細な説明】
【０００１】
【発明の属する技術分野】
本発明は、電気設備及び電気通信設備における鋼材を主とするトラス構造等の鉄塔上で、垂直に近い角度で連続的に配置された梯子状の電線等配線固定用構造物（以下、「垂直ラダー」という）に沿って、鉄塔の上部から鉄塔の基礎部に電線やケーブル等の布設及び固定作業を行う場合や、鉄塔中間箇所で設備増設用の支持金具等の設置を行う場合において、作業者の墜落又は作業時の材料若しくは工具の落下を防止するための墜落防止網を取り付ける方法に関するものである。
【０００２】
【従来の技術】
近年、インターネット接続サービスや携帯電話等の移動体通信に対応すべく、高速かつ大容量の情報通信ネットワークの構築が急務となっている。そのため、無線系電気通信設備やそれに関わる装置の電源線、電力線等の電気設備を鉄塔に設置する工事が進められている。この工事は、鉄塔上部にアンテナ等の装置を増設するとともに、この装置の電源線や電力線等のケーブルを鉄塔上部から電力制御棟まで引き込むため、ケーブルを鉄塔上部から鉄塔に設置されている作業者昇降用の垂直ラダー(Ladder)や昇降用階段に沿って垂直に近い角度で地上の基礎部へ降ろし、そこから電力制御棟まで延長している。また、ケーブルを垂直ラダー等に沿って基礎部にまで降ろす場合には、ケーブルを垂直ラダー等に沿って５０ｃｍ間隔で鉄塔上部から基礎部まで垂直ラダー等に打ち止めして布設する。
【０００３】
また、ケーブルを布設する前には、作業者の墜落又は材料若しくは工具の落下を防止するために、鉄塔上部より基礎部へ通常５ｍ間隔程度で墜落防止網を作業範囲全てに取り付ける必要がある。このように、墜落防止網の設置間隔を５ｍと定めているのは、高低差を広く空けすぎると墜落時の落下速度が速くなりすぎるため、墜落防止網で受け止めても人体の荷重で延ばされ、人体が鉄塔構造物に接触する可能性が高く、作業者へのダメージが大きく致命傷となり得るからである。
【０００４】
また、墜落防止網の取付作業は、一般的に垂直ラダー等を利用して作業者が鉄塔の最上部に登り、最上部の作業位置から順に５ｍ程度の間隔をおいて基礎部まで取り付けることにより行う。この墜落防止網は、通常、ナイロン製繊維等の網を３ｍ四方から５ｍ四方程度まで編むことにより形成され、各頂点（四角）には同じくナイロン製繊維等の接続紐を設けたものが一般的である。作業者は、地上の基礎部から墜落防止網の取り付けを行う箇所まで一つずつ墜落防止網を引き上げ、又は一括して鉄塔上部の作業台等に引き上げた後に引き下ろしを行い、接続紐を１箇所ずつ鉄塔構造物の梁や柱に結び付ける。この結付作業は、通常、鉄塔の内側（垂直ラダー等のケーブルが配線される側）に墜落防止網の１辺を横方向に広げ、両端（２頂点）の接続紐を鉄塔構造物の適当な位置に結び付けることにより行う。そして、墜落防止網を作業者の昇降又は材料若しくは工具の上げ下ろしを行う際に、墜落又は落下が予想される範囲より広い範囲に広げ、墜落時又は落下時に作業者の身体又は材料若しくは工具に適度な衝撃吸収が得られる程度に墜落防止網の弛みを調整し、残りの２頂点の接続紐を鉄塔構造物に結び付けて全体を固定する。
【０００５】
尚、垂直ロープを４本用意して地上で５ｍ間隔に全ての墜落防止網を予め取り付けておき、まとめて吊り上げて取り付けることをせず、鉄塔上で墜落防止網を一つずつ取り付ける理由は、鉄塔の各所に存在する構造物の梁や筋交いが支障となり墜落防止網を付けた状態での引き上げが不可能であることと、複数の墜落防止網全体の重量が重く人力で引き上げることが困難だからである。
【０００６】
【特許文献１】
特開平１−２４９０７３号公報
【０００７】
【特許文献２】
特開２００２−３３９５９４号公報
【０００８】
【発明が解決しようとする課題】
しかしながら、上記墜落防止網の取付作業を行う場合には、作業者自信が接続紐の先に結んである通い綱等を持ち、垂直ラダー等から梁や筋交い及び柱等の間をくぐって歩き垂直ラダー等の反対側部分まで横移動し、この反対側の鉄塔構造物に適当な弛みを持たせて、残りの２頂点の接続紐を取り付ける必要がある。この墜落防止網の取付作業は、鉄塔上の高所で行うことから、作業者の墜落を防止するための三重の安全を確保している。そのうちの一つ目は、親網(α)の一端を鉄塔最上部に取り付け、他端を作業者に取り付けるものである。二つ目は、作業者が横移動する前に安全帯に付属する親ロープ(β)を腰に取り付けるものである。この親ロープ(β)は、横移動可能な長さを有している。また、三つ目は、横移動後に残りの２点の接続紐を取り付ける前に取付場所を固定して両手を使えるようにすべく、取付場所で補助ロープ(γ)を腰に巻くものである。但し、この補助ロープ(γ)は、横移動場所に前もって設置する必要がある。
【０００９】
以上のように、電源線や電力線等のケーブルを布設する際に安全を確保すべく、墜落防止網を取り付ける必要があり、従来は、この墜落防止網を取り付けるため、更に、親網(α)、親ロープ(β)及び補助ロープ(γ)を使用して安全を確保しなければならず、非常に時間の掛かる効率の悪い作業であった。
【００１０】
本発明は上述した事情を鑑みてなされたものであり、墜落防止網を短時間で取り付けることができる墜落防止網の取付方法を提供することを目的としたものである。
【００１１】
【課題を解決するための手段】
上記目的を達成するため、請求項１に係る発明は、鉄塔の上部から地上の基礎部に梯子又は昇降用階段に沿ってケーブルの布設等を行う前に作業者の墜落又は材料若しくは工具の落下を防止する墜落防止網を取り付ける墜落防止網の取付方法において、前記鉄塔の上部から通線ロープを前記基礎部へ懸垂するステップと、事前にフック金具を昇降調整金具によって取り付けてある２本の垂直ロープの上端に前記通線ロープを取り付けて、前記通線ロープを引き上げることにより前記２本の垂直ロープを基礎部から上部へ引き上げるステップと、前記墜落防止網を前記鉄塔の取付場所付近まで引き上げ、当該引き上げた墜落防止網の２頂点の接続紐を前記鉄塔の梯子側の鉄塔構造物に取り付けるステップと、前記２本の垂直ロープを操作竿で前記梯子側に引き寄せて、まだ取り付けを行っていない２頂点の接続紐をそれぞれ前記引き寄せた垂直ロープの各フック金具に接続するステップと、前記２本の垂直ロープの最下端の近傍で引線固定を行う引線器を使用して、前記２本の垂直ロープを引っ張って固定するステップと、を実行することを特徴とする墜落防止網の取付方法である。
【００１２】
ここで、本発明の「通線ロープ」は、２本の垂直ロープを引き上げることができれば、１本のみ使用しても２本以上使用してもよい（以下、同様）。
【００１３】
請求項２に係る発明は、鉄塔の上部から地上の基礎部に梯子又は昇降用階段に沿ってケーブルの布設等を行う前に作業者の墜落又は材料若しくは工具の落下を防止する墜落防止網を取り付ける墜落防止網の取付方法において、前記鉄塔の上部から通線ロープを前記基礎部へ２本懸垂するステップと、事前に留金具をかしめ加工した２本の垂直ロープの上端に前記通線ロープを取り付けて、前記通線ロープを引き上げることにより前記２本の垂直ロープを基礎部から上部へ引き上げるステップと、前記墜落防止網を前記鉄塔の取付場所付近まで引き上げ、当該引き上げた墜落防止網の２頂点の接続紐を前記鉄塔の梯子側の鉄塔構造物に取り付けるステップと、前記２本の垂直ロープを操作竿で前記梯子側に引き寄せて、まだ取り付けを行っていない２頂点の接続紐をそれぞれ前記引き寄せた垂直ロープの各留金具の上部側に接続するステップと、前記２本の垂直ロープの最下端の近傍で引線固定を行う引線器を使用して、前記２本の垂直ロープを引っ張って固定するステップと、を実行することを特徴とする墜落防止網の取付方法である。
【００１４】
請求項３に係る発明は、前記垂直ロープは、高所作業での墜落防止に使用される親ロープであることを特徴とする請求項１又は２に記載の墜落防止網の取付方法である。
【００１５】
請求項４に係る発明は、前記操作竿は、多段式に伸縮可能であることを特徴とする請求項１又は２に記載の墜落防止網の取付方法である。
【００１６】
請求項５に係る発明は、前記操作竿は、先端に前記垂直ロープを引っ掛ける鈎型形状の先端金具が設けられていることを特徴とする請求項４に記載の墜落防止網の取付方法である。
【００１７】
請求項６に係る発明は、前記昇降調整金具は、前記垂直ロープ上の任意の間隔で自由に取付位置を移動可能に取り付けることが可能であることを特徴とする請求項１に記載の墜落防止網の取付方法である。
【００１８】
請求項７に係る発明は、前記留金具は、金属環からなり前記垂直ロープにかしめ加工されていることを特徴とする請求項２に記載の墜落防止網の取付方法である。
【００１９】
【発明の実施の形態】
以下、図１乃至図４を用いて本発明に係る第１の実施形態を説明する。尚、図１乃至図４は、本実施形態に係る墜落防止網の取付方法及び取付器具を示した図である。
【００２０】
図１に示すように、鉄塔１００には、一般に、作業者昇降用の垂直ラダー(Ladder)Ａが設置されている。この垂直ラダーＡは、アンテナ等の装置の電源線や電力線等のケーブルを鉄塔１００上部から地上の基礎部へ降ろす際に、作業者が昇降に使用するための梯子である。また、ケーブルを垂直ラダーＡに沿って基礎部まで降ろす場合には、ケーブルを垂直ラダーＡに沿って５０ｃｍ間隔で鉄塔上部から基礎部まで打ち止めして布設する。また、鉄塔１００には、鉄塔１００の強度を確保するために、上部から基礎部に渡って複数の梁Ｂが設けられている。更に、鉄塔の上部には、作業者用の作業場所Ｃが設けられている。このような構造からなる鉄塔１００において、以下に、墜落防止網４の取付方法及び取付器具を説明する。
【００２１】
まず、図１に示すように、最上段の作業場所Ｃから墜落防止網４の取付範囲を考慮しながら各梁Ｂの間を通すルート選定を行い、作業場所Ｃから通線ロープ１０を地上の基礎部へ（矢印ａ方向へ）２本懸垂する（ステップＳ１）。この通線ロープ１０は、後述の垂直ロープ１より外径の細いロープであり、先端には垂直ロープ１を取り付けて引き上げるための取付フック１１が設けられている。
【００２２】
次に、図２に示すように、作業者は、作業場所Ｃから基礎部までの高さに合わせて事前に５ｍ間隔で複数の昇降調整金具２及びフック金具５の取り付けを行った垂直ロープ１の先端（上端）を、通線ロープ１０の取付フック１１に取り付けて、基礎部から上部へ（矢印ｂ方向へ）引き上げる（ステップＳ２）。この垂直ロープ２は２本あり、上記２本の通線ロープ１０にそれぞれ取り付けられて引き上げられる。垂直ロープ２としては、作業者墜落時の荷重に耐えうる必要があることから一般に高所作業での墜落防止に使用される親ロープを使用し、垂直ロープ２の両端にも荷重見合いの安全性の確認された連結フックが設けられている。
【００２３】
更に、垂直ロープ２には、垂直ロープ２上の任意の間隔で自由に取付位置を移動可能な昇降調整金具２が複数取り付けられている。この昇降調整金具２としては、垂直ロープ１の外径に適合した墜落防止用の昇降器等の親ロープ把持器具等を使用し、垂直ロープ１の途中から容易に取付が可能で作業者墜落時の衝撃荷重に充分耐えられるロープ把持能力を保有し、把持機能の操作により容易に把持位置を移動できる機能があるものが適している。
【００２４】
更に、各昇降調整金具２には紐等によりフック金具５が取り付けられ、墜落防止網４の４角の頂点に設けてある後述の接続紐６が容易に取り付けられるように工夫されている。
【００２５】
尚、昇降調整金具２は、墜落防止網４の取り付けとともに鉄塔１００の形状が基礎部へ下がるほど広がっている形状の場合には、垂直ロープ１自体を垂直に垂らすだけでなく鉄塔１００の形状に合わせて斜めに延線する際に、垂直ロープ１の把持器具としても使用する。また、垂直ロープ１の先端（下端）は、作業者が昇降する垂直ラダーＡに近い位置に容易に引き上げ可能な状態に巻いて集積しておくことで、後述の操作竿３による垂直ロープ１の引き寄せ作業時の負荷を軽減することができる。
【００２６】
次に、作業者は上部方向から順に墜落防止網４を取付場所近傍に引き上げ、図３に示すように、垂直ラダーＡ側の鉄塔構造物Ｄに墜落防止網４の２頂点の接続紐６１，６２を結び付ける（ステップＳ３）。この墜落防止網４は、ケーブル布設等の作業を行う範囲に合わせて、ナイロン製繊維等の網を３ｍ四方から５ｍ四方程度まで編むことにより形成され、各頂点（四角）には同じくナイロン製繊維等の接続紐６が設けられている。また、接続紐６１，６２を結び付ける際には、垂直ラダーＡのケーブル布設等を行う作業側に沿って作業者も昇降移動することから、作業者の身体が通過できる程度の空間Ｅを確保すべく、弛みを持たせて結び付ける。更に、作業者の通過後には、垂直ラダーＡで墜落防止網４を別途仮捕縛する等の処置を必要により行う。
【００２７】
次に、図３に示すように、作業者は、垂直ラダーＡで親綱式安全帯を取り付けて自己の墜落防止をした状態で、先端に鈎型の先端金具７が付いた操作竿３を延伸し、垂直ロープ１を自己側（垂直ラダーＡ側）に引き寄せて、昇降調整金具２に連結したフック金具５にまだ取り付けを行っていない接続紐６３，６４を接続する（ステップＳ４）。この操作竿３は、作業者が垂直ラダーＡの昇降時の支障とならないよう容易に持ち運べるように多段式に伸縮可能であり、先端には垂直ロープ１を容易に引っ掛けることができる大きめの鈎型形状の先端金具７が設けられている。
【００２８】
以上によって墜落防止網４を１つ取り付ける作業が終了し、この作業を繰り返すことによって、全ての墜落防止網４の取付が完了する。
【００２９】
最後に、全ての墜落防止網４の取付が完了した時点で、垂直ロープ１の最下端に近い位置で垂直ロープ１の張線固定を行う張線器１２を使用し、垂直ラダーＡ側から垂直ロープ１が離れる方向（矢印ｄ方向）に適度に荷重をかけて垂直ロープ１を引っ張り、墜落防止網４に適度な弛みを持たせた状態で固定する（ステップＳ５）。
【００３０】
尚、墜落防止網４の４箇所の接続紐６の取付を実現する際、墜落防止網４の設置高さが鉄塔構造物に接触する等の支障があると判断した時点で、操作竿３による垂直ロープ１の引き寄せと昇降調整金具２の位置移動による設置高さの微調整を行ってもよい。
【００３１】
また、垂直ロープ１の２本の引き上げ作業の際、鉄塔１００の構造によって一部の高さまでの墜落防止網４が先に接続された状態でも引き上げ可能な状況である場合は、一部の墜落防止網４と垂直ロープ１を同時に引き上げて効率良く設置することは可能である。
【００３２】
以上説明したように、本実施形態によれば、墜落防止網４の２頂点の接続紐６３，６４を取り付けることができる垂直ロープ１を鉄塔１００の上部まで引き上げ、その後に墜落防止網４の他の２頂点の接続紐６１，６２を鉄塔１００の鉄塔構造物Ｄに取り付け、その後に操作竿で垂直ロープ１を垂直ラダーＡ側（矢印ｃ側）に引き寄せ、その後に接続紐６３，６４を垂直ロープ１に取り付けられている昇降調整金具２のフック金具５に取り付ける。これにより、従来のように、作業者は、親網(α)、親ロープ(β)及び補助ロープ(γ)を使用して安全を確保してから、垂直ラダーから梁や筋交い及び柱等の間をくぐって歩き垂直ラダーの反対側部分まで横移動する必要がないため、墜落防止網の取付を短時間で行うことができるという効果を奏する。
【００３３】
〔第２の実施形態〕
以下、図５を用いて本発明に係る第２の実施形態を説明する。尚、図５は、本実施形態に係る墜落防止網の取付方法及び取付器具を示した図である。
【００３４】
本実施形態は、基本的に上記第１の実施形態と同様の作業手順で墜落防止網４を取り付けるが、使用する器具が異なる。即ち、金属環からなる留金具８を５ｍ毎若しくは更に細かい間隔でかしめ加工した垂直ロープ１’を使用する。この留金具８によって、垂直ロープ１’自体の鉄塔運搬や引き上げ時に支障とならない程度のかしめ加工による外径差を持たせることで、墜落防止網４の４角頂点から接続されている接続紐６３’，６４’の先端に付けた連結用フック９を垂直ロープ１’に取り付けた際、留金具８の上端より下部へずり落ちることを防止する。この連結フック９は、垂直ロープ１’を中心に自由に回動することができるとともに、垂直ロープ１’の外径は容易に挿通するが留金具８の外径で通過できない内径が形成されたフックやカラビナ等の連結器具であり、墜落防止網４’の２頂点の接続紐６３’，６４’の各先端に取り付けられている。これ以外は同じ構成であるため、同一符号を付して説明を省略する。
【００３５】
また、本実施形態における墜落防止網４’の取付作業は、上記ステップＳ４がのみが相違するため、この相違するステップのみを説明する。即ち、図５に示すように、作業者は、垂直ラダーＡで親綱式安全帯を取り付けて自己の墜落防止をした状態で、先端に鈎型の先端金具７が付いた操作竿３を延伸し、垂直ロープ１を自己側（垂直ラダーＡ側）に引き寄せて、留金具８の上部側の垂直ロープ１’部分に連結フック９を取り付けて、取り付けを行っていない接続紐６３’，６４’を接続する（ステップＳ４’）。これにより、墜落防止網４’を１つ取り付ける作業が終了し、この作業を繰り返すことによって、全ての墜落防止網４’の取付が完了する。
【００３６】
以上説明したように、本実施形態によれば、上記第１の実施形態における昇降調整金具２とフック金具５に代えて、垂直ロープ１’に留金具８のみを取り付けているため、上記第１の実施形態の効果に加えて、垂直ロープ１’を引き上げる際に、鉄塔１００の梁や筋交い等に引っ掛かることがないという効果を奏する。
【００３７】
尚、連結用フック９を省略して直接接続紐６で垂直ロープ１に接続してもよい。この場合には若干取り付けに時間を要するが、留金具８があることで墜落時の衝撃荷重が加わっても容易に下方にずれ落ちない墜落防止網４’の取り付けを実施することができる。
【００３８】
また、上記第１及び第２の実施形態における手順（ステップ）で鉄塔１００の垂直に連続する作業範囲で、墜落防止網４（４’）の設置が実施できるが、この取付方法は、垂直ロープ１（１’）の通過させるルートや鉄塔１００の形状により傾斜した構造物の連続した作業範囲での墜落防止網の取付等に応用が可能である。
【００３９】
更に、上記各実施形態では、垂直ダラーＡを利用して作業者が昇降する場合について説明したが、これに限るものではなく、昇降用階段を利用して昇降する場合であってもよい。
【００４０】
【発明の効果】
以上説明したように、本発明によれば、墜落防止網の２頂点の接続紐（６３，６４）を取り付けることができる垂直ロープを鉄塔の上部まで引き上げ、その後に墜落防止網の他の２頂点の接続紐（６１，６２）を鉄塔の鉄塔構造物に取り付け、その後に操作竿で垂直ロープを垂直ラダー等の梯子側に引き寄せ、その後に接続紐（６３，６４）を垂直ロープに取り付けられている昇降調整金具のフック金具に取り付ける。これにより、作業者は梯子から梁や筋交い及び柱等の間をくぐって歩き梯子の反対側部分まで横移動する必要がないため、墜落防止網の取付を短時間で行うことができるという効果を奏する。
【図面の簡単な説明】
【図１】本発明の第１の実施形態に係る墜落防止網の取付方法及び取付器具を示した図。
【図２】本発明の第１の実施形態に係る墜落防止網の取付方法及び取付器具を示した図。
【図３】本発明の第１の実施形態に係る墜落防止網の取付方法及び取付器具を示した図。
【図４】本発明の第１の実施形態に係る墜落防止網の取付方法及び取付器具を示した図。
【図５】本発明の第２の実施形態に係る墜落防止網の取付方法及び取付器具を示した図。
【符号の説明】
１（１’）  垂直ロープ
２  昇降調整金具
３  操作竿
４（４’）墜落防止網
５  フック金具
６  接続紐
７  先端金具
８  留金具
９  連結フック
１０  通線ロープ
１１  取付フック
１２  張線器
１００  鉄塔
Ａ  垂直ラダー
Ｂ  梁
Ｃ  作業場所
Ｄ  空間
【図１】
2004194867.tif 000003
【図２】
2004194867.tif 000004
【図３】
2004194867.tif 000005
【図４】
2004194867.tif 000006
【図５】
2004194867.tif 000007